(57)【要約】【課題】洗濯用設備による振動を防止するとともに、現地での設置作業を少なくすることが可能なコインランドリーおよびその設置方法の提供。【解決手段】予め工場内で製作されるコンテナ状のコインランドリーボックスと、このコインランドリーボックス内の洗濯用設備が配置される部分の下方に敷設されたコンクリート基礎３と、コインランドリーボックス内の床面開口からコンクリート基礎３上に施工され、コインランドリーボックスの固定部９と締結されるケミカルアンカー１０と、ケミカルアンカー１０の近傍でコインランドリーボックスの固定部９とコンクリート基礎３との間で突っ張るレベル調整ボルト１１とを有する。【選択図】図５
2008115534.tif 000002
【特許請求の範囲】
【請求項１】
予め工場内で製作されるコンテナ状のコインランドリーボックスと、
このコインランドリーボックス内の洗濯用設備が配置される部分の下方に敷設されたコンクリート基礎と、
前記コインランドリーボックス内の床面開口から前記コンクリート基礎上に施工され、前記コインランドリーボックスと締結されるあと施工アンカーと、
同あと施工アンカーの近傍で前記コインランドリーボックスと前記コンクリート基礎との間で突っ張る支持部材と
を有するコインランドリー。
【請求項２】
前記支持部材が、前記あと施工アンカーの近傍の少なくとも２箇所に設けられた請求項１記載のコインランドリー。
【請求項３】
前記支持部材が、ねじの回転により前記コインランドリーボックスと前記コンクリート基礎との間で進退可能な調整ボルトである請求項１または２に記載のコインランドリー。
【請求項４】
予め工場内で製作されるコンテナ状のコインランドリーボックスの下方であって当該コインランドリーボックス内の洗濯用設備が配置される部分の下方にコンクリート基礎を敷設する工程と、
前記コンクリート基礎上に前記コインランドリーボックスを載置する工程と、
前記コインランドリーボックス内の床面開口から前記コンクリート基礎上にあと施工アンカーを施工する工程と、
前記あと施工アンカーと前記コインランドリーボックスとを締結する工程と、
同あと施工アンカーの近傍で前記コインランドリーボックスと前記コンクリート基礎との間を支持部材により突っ張る工程と
を含むコインランドリーの設置方法。
【発明の詳細な説明】
【技術分野】
【０００１】
本発明は、洗濯機や乾燥機等の洗濯用設備を建物内に装備したコインランドリーおよびその設置方法に関する。
【背景技術】
【０００２】
屋外に設置された小規模の建物内に洗濯機や乾燥機等の洗濯用設備を設置したコインランドリーがある。この種のコインランドリーは、通常、まず設置場所においてコンクリートの基礎を築き、この基礎上で建物を建築して、洗濯用設備を搬入することにより設置される。また、洗濯用設備は、振動が激しいため、基礎や建物等に対してボルト等により締結される。ところが、このように現地で建物の建築を行う場合、設置に多くの日数が掛かり、設置費用も高くなってしまうという問題がある。
【０００３】
このような問題を解決するものとしては、例えば特許文献１に記載のコインランドリーがある。このコインランドリーは、鉄骨材で部屋の枠組を予め工場にて製作し、この部屋の枠組をコインランドリーの設置場所に搬入して設置し、さらに、この枠組の床面に予め工場で製作した衣類洗濯機の振動を吸収して防振する防振床枠体を取り付け、この防振床枠体にコンクリートを流し込んで設置地面に固着させて、部屋の枠組を堅固に設置し、その後に衣類洗濯機を防振床枠体にボルト締結して設置するものである。
【０００４】
【特許文献１】特開２００３−１０５９９３号公報
【発明の開示】
【発明が解決しようとする課題】
【０００５】
ところが、特許文献１に記載のコインランドリーでは、部屋の枠体と防振床枠体とを工場にて別々に製作し、現地にて枠体設置後、防振床枠体を取り付け、さらにこの防振床枠体を固定するためにコンクリートを流し込むため、現地での作業が多い。また、防振床枠体を固定するためにコンクリートを流し込むため、このコンクリートが完全に固まるまで最低５〜１０日間程度は養生する必要があり、その間、衣類洗濯機を設置することができない。
【０００６】
そこで、本発明においては、洗濯用設備による振動を防止するとともに、現地での設置作業を少なくすることが可能なコインランドリーおよびその設置方法を提供することを目的とする。
【課題を解決するための手段】
【０００７】
本発明のコインランドリーは、予め工場内で製作されるコンテナ状のコインランドリーボックスと、このコインランドリーボックス内の洗濯用設備が配置される部分の下方に敷設されたコンクリート基礎と、コインランドリーボックス内の床面開口からコンクリート基礎上に施工され、コインランドリーボックスと締結されるあと施工アンカーと、あと施工アンカーの近傍でコインランドリーボックスとコンクリート基礎との間で突っ張る支持部材とを有するものである。
【０００８】
このコインランドリーは、予め工場内で製作されるコンテナ状のコインランドリーボックスの下方であって当該コインランドリーボックス内の洗濯用設備が配置される部分の下方にコンクリート基礎を敷設する工程と、コンクリート基礎上にコインランドリーボックスを載置する工程と、コインランドリーボックス内の床面開口からコンクリート基礎上にあと施工アンカーを施工する工程と、あと施工アンカーとコインランドリーボックスとを締結する工程と、あと施工アンカーの近傍でコインランドリーボックスとコンクリート基礎との間を支持部材により突っ張る工程とを含む設置方法により設置する。
【０００９】
本発明のコインランドリーでは、予め工場内で製作されるコンテナ状のコインランドリーボックスをコンクリート基礎上に載置し、このコインランドリーボックス内の床面開口からコンクリート基礎上にあと施工アンカーを施工して、あと施工アンカーとコインランドリーボックスとを締結し、あと施工アンカーの近傍でコインランドリーボックスとコンクリート基礎との間を支持部材により突っ張ることにより、振動源となる洗濯用設備の近傍がコンクリート基礎上に固定されるので、コインランドリーボックスの振動が防止される。また、現地での設置作業は少なく、予め施工されたコンクリート基礎上への設置で良いため、コインランドリーボックス搬入後にコンクリート基礎の養生を行う必要がなく、短期間で設置することが可能である。
【００１０】
なお、あと施工アンカーには、金属系アンカーと接着系アンカーとその他のアンカー類に大別されるが、いずれのアンカーを用いても良い。要するに、コンクリート基礎上にコインランドリーボックスが載置された後に、コインランドリーボックス内の床面開口からコンクリート基礎上に施工可能なものであれば良い。なお、金属系アンカーには、金属拡張アンカーとその他の金属アンカーとがある。例えば、金属拡張アンカーは、コンクリート基礎に穿孔した孔の中でその拡張部を開くことにより、孔壁に機械的に固着するものである。また、接着系アンカーは、コンクリート基礎に穿孔した孔に接着剤を充填し、この充填した接着剤が化学反応により硬化することで物理的に固着するものである。接着剤には、カプセル方式や注入方式等がある。
【００１１】
ここで、支持部材は、あと施工アンカーの近傍の少なくとも２箇所、好ましくは２箇所のみに設けられることが望ましい。これにより、あと施工アンカーの近傍で、あと施工アンカーを含めて３箇所以上で洗濯用設備が配置される部分が支持されることになり、この支持部が安定する。なお、２箇所であれば支持アンカーを含めて最も安定する３箇所での支持となる。
【００１２】
また、支持部材は、ねじの回転によりコインランドリーボックスとコンクリート基礎との間で進退可能な調整ボルトであることが望ましい。これにより、ねじを回転させて調整ボルトを進退させるだけでコインランドリーボックスとコンクリート基礎との間で突っ張ることが可能となり、施工がさらに容易となる。
【発明の効果】
【００１３】
（１）予め工場内で製作されるコンテナ状のコインランドリーボックスと、このコインランドリーボックス内の洗濯用設備が配置される部分の下方に敷設されたコンクリート基礎と、コインランドリーボックス内の床面開口からコンクリート基礎上に施工され、コインランドリーボックスと締結されるあと施工アンカーと、あと施工アンカーの近傍でコインランドリーボックスとコンクリート基礎との間で突っ張る支持部材とを有することにより、振動源となる洗濯用設備の近傍がコンクリート基礎上に固定されるので、洗濯用設備の動作によるコインランドリーボックスの振動が防止される。また、現地での設置作業は少なく、予め施工されたコンクリート基礎上への設置で良いため、コインランドリーボックス搬入後にコンクリート基礎の養生を行う必要がなく、短期間で設置することが可能である。
【００１４】
（２）支持部材が、あと施工アンカーの近傍の少なくとも２箇所に設けられることにより、あと施工アンカーの近傍で、あと施工アンカーを含めて３箇所以上で洗濯用設備が配置される部分が支持され、支持部が安定する。これにより、洗濯用設備の振動が防止され、コインランドリーボックス全体が安定する。
【００１５】
（３）支持部材が、ねじの回転によりコインランドリーボックスとコンクリート基礎との間で進退可能な調整ボルトであることにより、ねじを回転させて調整ボルトを進退させるだけでコインランドリーボックスとコンクリート基礎との間で突っ張って安定させることが可能となり、施工がさらに容易となる。
【発明を実施するための最良の形態】
【００１６】
図１は本発明の実施の形態におけるコインランドリーの外観斜視図、図２は図１のコインランドリーボックスを省略したコンクリート基礎の斜視図、図３は図２の平面図、図４は図１の横断面図、図５はコンクリート基礎とランドリーボックスとの固定部分の縦断面図である。
【００１７】
図１および図２において、本発明の実施の形態におけるコインランドリー１は、予め工場内で製作されたコンテナ状のコインランドリーボックス２を、設置場所までトレーラ（図示せず。）等により運搬し、予め敷設されたコンクリート基礎３上に載置することにより設置されるものである。図３および図４に示す洗濯機４ａや乾燥機４ｂ等の洗濯用設備は、コインランドリーボックス２の製作の際に、工場内でコインランドリーボックス２内に設置され、コインランドリーボックス２にしっかりと固定される。
【００１８】
コインランドリーボックス２は、鋼材により形成した枠組に面材を組み合わせることにより製作されるコンテナ状のボックスである。コインランドリーボックス２は、矩形状の床部２ａと、４つの壁部２ｂ−１，２ｂ−２，２ｂ−３，２ｂ−４と、天井部２ｃとから構成される。その他、コインランドリーボックス２には、顧客が出入りする扉部５、窓６、換気用ルーバ７やメンテナンスを行うためのシャッタ（図示せず。）等が設けられている。
【００１９】
コンクリート基礎３は、図３に示すようにコインランドリーボックス２を平面視して長手方向の２辺のそれぞれの下方と、コインランドリーボックス２内の洗濯機４ａが設置される部分の下方に敷設されている。なお、このコンクリート基礎３を敷設する部分については、コストダウンを図るため、少なくとも最も振動が大きい洗濯機４ａが設置される部分に敷設すれば良いが、乾燥機４ｂ等の他の洗濯用設備の下方に敷設することも可能である。あるいは、コインランドリーボックス２の下方全面に敷設する場合もある。
【００２０】
また、コインランドリーボックス２内の床面には、コインランドリーボックス２内の洗濯機４ａが設置される部分の床部２ａの枠組とコンクリート基礎３とを固定する作業を行うための開口８が数箇所に設けられている。また、床部２ａの枠組には、開口８が設けられる位置と同じ位置にコンクリート基礎３と固定するための固定部９が数箇所に形成されている。
【００２１】
次に、このコインランドリーボックス２内の洗濯機４ａが設置される部分の床部２ａの枠組の固定部９とコンクリート基礎３との固定構造について説明する。図５に示すように、この固定構造は、コンクリート基礎３上に施工されるあと施工アンカーとしてのケミカルアンカー１０と、１組２本のレベル調整ボルト１１とから構成される。なお、本実施形態においては、ケミカルアンカー１０とレベル調整ボルト１１とが一直線上に配置されている。また、レベル調整ボルト１１は、ケミカルアンカー１０の近傍でケミカルアンカー１０を両側から挟む位置に配置されている。また、コインランドリーボックス２の固定部９には、ケミカルアンカー１０とレベル調整ボルト１１とを貫通させる貫通孔９ａ，９ｂ，９ｃが一直線上に設けられている。
【００２２】
ケミカルアンカー１０は、コンクリート基礎３上に穿孔した孔２０に接着剤２１を充填し、接着剤２１を充填した孔にボルト１０ａを挿入し、この充填した接着剤２１が化学反応により硬化することでボルト１０ａをコンクリート基礎３上に物理的に固着させるものである。このようにコンクリート基礎３上に固着させるケミカルアンカー１０のボルト１０ａは、固定部８の貫通孔９ｂに貫通させ、開口８から固定部８を挟み込むように２個のナット１０ｂで締結する。
【００２３】
レベル調整ボルト１１は、固定部９の貫通孔９ａ，９ｃの下面側に溶接されたナット１１ｃと、このナット１１ｃにねじ込まれるボルト１１ａと、ボルト１１ａの先端にねじ込まれるベース１１ｂと、固定部９を挟んで貫通孔９ａ，９ｃの上面側にねじ込まれるナット１１ｄとから構成される。この構成のレベル調整ボルト１１では、ボルト１１ａを回転させることで、コインランドリーボックス２とコンクリート基礎３との間で進退する。このレベル調整ボルト１１は、ケミカルアンカー１０により固定部８をコンクリート基礎３に固定した後、開口８からボルト１１ａのヘッド１１ｅを回転させることにより、コインランドリーボックス２とコンクリート基礎３との間で突っ張るように作用する。
【００２４】
このように本実施形態におけるコインランドリー１では、コインランドリーボックス２内の振動源となる洗濯機４ａが設置される部分の床部２ａの枠組の固定部９とコンクリート基礎３とが、ケミカルアンカー１０およびレベル調整ボルト１１により固定されるので、洗濯機４ａの振動によるコインランドリーボックス２全体の振動が防止される。
【００２５】
次に、上記構成のコインランドリー１の設置手順について説明する。図６は本実施形態におけるコインランドリー１の設置手順を示すフロー図である。
【００２６】
（Ｓ１）コンテナ状のコインランドリーボックス２を工場内で製作する。このとき、洗濯機４ａや乾燥機４ｂ等の洗濯用設備は、工場内でコインランドリーボックス２内に設置され、コインランドリーボックス２にしっかりと固定される。また、コインランドリーボックス２の完成時期に応じて、このコインランドリーボックス２を設置する場所にコンクリート基礎３を敷設しておく。
（Ｓ２）コインランドリーボックス２をコンクリート基礎３上に載置する。
（Ｓ３）コインランドリーボックス２内の床面開口８からコンクリート基礎３上にケミカルアンカー１０を施工する。
（Ｓ４）ケミカルアンカー１０とコインランドリーボックス２とを締結する。
（Ｓ５）レベル調整ボルト１１によりコインランドリーボックス２とコンクリート基礎３との間を突っ張り、ランドリーボックス２とコンクリート基礎３とを固定する。
【００２７】
以上のように、本実施形態におけるコインランドリー１では、現地での設置作業は少なく、予め施工されたコンクリート基礎３上への設置で良いため、コインランドリーボックス１搬入後にコンクリート基礎３の養生を行う必要がなく、短期間で設置することが可能である。また、コインランドリーボックス２内に設置される洗濯用設備も工場内で設置が完了しているので、現地での設置作業は１日あれば十分である。
【００２８】
また、本実施形態におけるコインランドリー１では、レベル調整ボルト１１が、ケミカルアンカー１０の近傍の２箇所に設けられることにより、ケミカルアンカー１０の近傍で、ケミカルアンカー１０を含めて３箇所で洗濯機４ａが配置される部分が支持されるため、この洗濯機４ａの支持部が安定する。これにより、洗濯機４ａの振動が防止され、コインランドリーボックス２全体が安定する。
【００２９】
また、本実施形態におけるコインランドリー１では、レベル調整ボルト１１が、ボルト１１ａのねじの回転によりコインランドリーボックス２とコンクリート基礎３との間で進退可能な調整ボルトであるため、ボルト１１ａのねじを回転させて進退させるだけでコインランドリーボックス２とコンクリート基礎３との間で突っ張って安定させることが可能となり、施工が容易である。
【００３０】
なお、本実施形態においては、あと施工アンカーとしてケミカルアンカー１０を用いたが、その他の接着系アンカーや金属系アンカー等を用いることも可能である。また、本実施形態においては、洗濯機４ａの下方にのみコンクリート基礎３を敷設してケミカルアンカー１０およびレベル調整ボルト１１により固定しているが、乾燥機４ｂの下方にもコンクリート基礎３を敷設した場合には、同様に乾燥機４ｂの下方を固定しても良い。
【産業上の利用可能性】
【００３１】
本発明は、洗濯用設備による振動を防止するとともに、現地での設置作業を少なくすることが可能なコインランドリーおよびその設置方法として有用である。
【図面の簡単な説明】
【００３２】
【図１】本発明の実施の形態におけるコインランドリーの外観斜視図である。
【図２】図１のコインランドリーボックスを省略したコンクリート基礎の斜視図である。
【図３】図２の平面図である。
【図４】図１の横断面図である。
【図５】コンクリート基礎とランドリーボックスとの固定部分の縦断面図である。
【図６】本実施形態におけるコインランドリーの設置手順を示すフロー図である。
【符号の説明】
【００３３】
１  コインランドリー
２  コインランドリーボックス
２ａ  床部
２ｂ−１，２ｂ−２，２ｂ−３，２ｂ−４  壁部
２ｃ  天井部
３  コンクリート基礎
４ａ  洗濯機
４ｂ  乾燥機
５  扉部
６  窓
７  換気用ルーバ
８  開口
９  固定部
９ａ，９ｂ，９ｃ  貫通孔
１０  ケミカルアンカー
１１  レベル調整ボルト
【図１】
2008115534.tif 000003
【図２】
2008115534.tif 000004
【図３】
2008115534.tif 000005
【図４】
2008115534.tif 000006
【図５】
2008115534.tif 000007
【図６】
2008115534.tif 000008